(57)【要約】【課題】特に電気空気圧式駆動器を装備してもコンパクトな形状のばね式グリップ付き携帯用手工具装置を提供する。【解決手段】携帯用手工具装置２は、作動軸線Ａに沿って延在する工具軸４を駆動するための、装置ハウジング１０に収納された駆動機構８と、第一グリップ緩衝機構２２により第一回動軸Ｓ１の周りを回動可能である第一グリップ１６と、第二グリップ緩衝機構２４により第二回動軸Ｓ２の周りを回動可能である第二グリップ２０とを有する。第一及び第二グリップ緩衝機構が、それぞれ装置ハウジング１０の対峙する面１４．１、１４．２から装置ハウジング１０より突出し、ばね手段４６により初期位置へと押圧される第一グリップ緩衝機構２２および第二グリップ緩衝機構２４は、それぞれ部分的に駆動機構８の周囲に延在する。【選択図】図２
2007168068.tif 000002
【特許請求の範囲】
【請求項１】
作動軸線（Ａ）に沿って延在する工具軸（４）を駆動するための、装置ハウジング（１０）に収納された駆動機構（８）と、
第一グリップ緩衝機構（２２）により第一回動軸（Ｓ１）の周りを回動可能である第一グリップ（１６）と、
第二グリップ緩衝機構（２４）により第二回動軸（Ｓ２）の周りを回動可能である第二グリップ（２０）と
を有し、第一及び第二グリップ緩衝機構が、それぞれ装置ハウジング（１０）の対峙する面（１４．１、１４．２）から装置ハウジング（１０）より突出し、ばね手段（４６）により初期位置へと押圧される、特にドリルハンマーもしくはチゼルハンマーの形式をとった携帯用手工具装置（２）において、
前記第一グリップ緩衝機構（２２）および前記第二グリップ緩衝機構（２４）は、それぞれ部分的に駆動機構（８）の周囲に延在することを特徴とした手工具装置。
【請求項２】
第一グリップ緩衝機構（２２）を固定できる第一端部当接部（３０．１、３０．２）および第二グリップ緩衝機構（２４）を固定できる第二端部当接部（３８．１、３８．２）を構成する第一緩衝体（３２．１、３２．２）を、第一グリップ緩衝機構（２２）と第二グリップ緩衝機構（２４）との間に設けた、請求項１記載の手工具装置。
【請求項３】
第一グリップ緩衝機構（２２）の回動動作および第二グリップ緩衝機構（２４）の回動動作を、緩衝体（３２．１、３２．２）がそれぞれ両回動方向において制限した、請求項２記載の手工具装置。
【請求項４】
緩衝体（３２．１、３２．２）を菱形に構成した、請求項３記載の手工具装置。
【請求項５】
駆動制御部（８）の第一面（３４）およびこれに対峙した第二面（３６）に、それぞれ回動軸（S１、S２）の周りでそれぞれピボットベアリング（２１．１、２１．２）されたフォーク状梁部（２５、４４）を、グリップ緩衝機構（２２、２４）にそれぞれに設けた、請求項１〜４のうちいずれか１項記載の手工具装置。
【請求項６】
回動軸（Ｓ１、Ｓ２）から対応するグリップ（１６、２０）の有効握り位置（Ｇ１、Ｇ２）までの距離（ａ）を、それぞれ１３〜１９ｃｍの範囲、特に１５〜１８ｃｍの範囲とした、請求項５記載の手工具装置。
【請求項７】
回動軸（Ｓ１、Ｓ２）とグリップ緩衝機構（２２、２４）との間にそれぞれエラストマーリングを設けた、請求項５または６記載の手工具装置。
【請求項８】
駆動制御部（８）の第一面（３４）に第一緩衝体（３２．１）を設け、駆動制御部（８）の第二面（３４）に第二緩衝体（３２．１）を設けた、請求項５〜７のうちいずれか１項記載の手工具装置。
【請求項９】
作動軸線（Ａ）に対し垂直に、装置ハウジングに固定されたばね受容部（５０）とそれぞれ対応するグリップ緩衝機構（２２，２４）との間に配置された２個のコイルばね（４８）でばね手段（４６）を構成した、請求項１〜９のうちいずれか１項記載の手工具装置。
【発明の詳細な説明】
【技術分野】
【０００１】
本発明は、特にドリルハンマーもしくはチゼルハンマーの形式をとった携帯用手工具装置に関するものである。この手工具装置は、作動軸線に沿って延在する工具軸を駆動するための駆動機構を備えており、この駆動機構は、電気モータである駆動器および打撃機構である運動変換器を、必要に応じて変速ユニットと組み合わせて備える。このとき、駆動機構は装置ハウジングに収納される。さらに、手工具装置は、第一グリップ緩衝機構により第一回動軸の周りを回動可能である第一グリップを備える。さらに、手工具装置には、第二グリップ緩衝機構により第二回動軸の周りを回動可能である第二グリップが組み込まれている。双方のグリップは、装置ハウジングの対峙する面からそれぞれ突出し、それぞればね具により初期位置に保持される。
【０００２】
このような手工具装置では、作動軸線上の運動に由来する強い振動が装置ハウジングに発生する。ばね式グリップ緩衝機構を設けることで、この振動がグリップへ伝わる量を大幅に低減することが可能である。
【背景技術】
【０００３】
特許文献１には、装置ハウジングの対峙する側面に２個のグリップを設けた、空気圧式のチゼルハンマーもしくはドリルハンマーが記載されている。双方のグリップはそれぞれ、装置ハウジングの先端に回動可能に固定したレバーの自由端に取り付けられる。さらに、双方のレバーおよびハウジングの間には、それぞれ作動軸線に平行にコイルばねを設け、このコイルばねは、対応するグリップを、装置ハウジングの先端の反対側で、作動軸線方向に振動から絶縁する。
【特許文献１】米国特許第４５７６２４１号明細書
【０００４】
このとき、先端およびグリップ機構は、完成したチゼルハンマーもしくはドリルハンマーに追加装備できるよう、組み立てユニットとして構成されなければならない。
【０００５】
このようなグリップ機構の欠点は、当該の装置の、工具とは反対側の端部の構成長さが比較的大きくなる点にある。特に、打撃機構と、必要に応じて付加的な変速ユニットと、さらに駆動モータとを装置ハウジングに収納した電気空気圧式手工具装置においては、このためにとても扱いにくい形態となり、したがって快適な使用が望めない。
【発明の開示】
【発明が解決しようとする課題】
【０００６】
したがって、本発明の課題は、上述の欠点を克服し、特に電気空気圧式駆動器を装備してもコンパクトな形状のばね式グリップ付き携帯用手工具装置を得ることにある。
【課題を解決するための手段】
【０００７】
この課題を達成するため、本発明の手工具装置は、二つのグリップ緩衝機構を、それぞれ作動軸線に対して垂直に延びる空間軸線上で、部分的に駆動機構の周囲に設ける、つまり、第一グリップ緩衝機構および第二グリップ緩衝機構が、作動軸線を横切る向きで、駆動機構をそれぞれ部分的に広範囲に包囲することを特徴とする。さらにグリップ緩衝機構には、例えばグリップ緩衝機構周囲に延在する、それぞれ２個の分岐アーム、もしくは１個のみの湾曲アームを設けることができる。これにより、グリップは、それぞれ付随するグリップ緩衝機構とともに、作動軸線に対応して、駆動機構の高いところにも問題なく取り付けられ、この駆動機構は、打撃機構、駆動モータおよび必要に応じて変速器より構成され、内部ハウジングに収納できる。グリップ緩衝機構は、駆動機構の周囲に設けるため、付加的な構成長さを全くもしくはわずかしか必要としない構成で装置ハウジングに取り付けられる。このようにして、双方のグリップにばね式緩衝機構を設けるにもかかわらず、手工具装置はコンパクトに構成可能となり、快適な取り扱いが実現できる。
【発明を実施するための最良の形態】
【０００８】
本発明の特に好適な実施例においては、第一グリップ緩衝機構と第二グリップ緩衝機構との間に、第一グリップ緩衝機構を固定できる第一端部当接部および第二グリップ緩衝機構固定できる第二端部当接部を構成する第一緩衝体を設ける。これにより、振動の遮断に利用可能なグリップ緩衝機構の回動範囲を超えるような非常に大きい負荷が手工具装置にかかっても、緩衝作用を持つ端部当接部によって振動が制限される。これにより、前述したような非常に大きい負荷がかかる場合においても、グリップには、大幅に低減された手工具装置の振動のみが伝わることとなる。
【０００９】
本発明の好適な実施例においては、第一グリップ緩衝機構の回動動作および第二グリップ緩衝機構の回動動作を、緩衝体がそれぞれ両回動方向において制限し、これによってグリップ緩衝機構の端部当接部のそれぞれが緩衝作用を持つことで、非常に大きな負荷の下でグリップへ伝わる振動のエネルギーをさらに低減する。
【００１０】
本発明の特に好適な実施例においては、いずれの回動方向においても、グリップ緩衝機構が緩衝体の対峙する面に当接可能となるように、緩衝体の横断面形状を菱形にする。このようにして緩衝体の領域内で、グリップ緩衝機構は双方の端部当接部で互いに支えあい、またそのためエネルギーを分散させる。これにより非常にコンパクトかつ安定した形状の緩衝体を実現することができる。
【００１１】
本発明の好適な実施例においては、グリップ緩衝機構にはそれぞれ一つのフォーク状梁部を設けており、この梁部は、駆動機構の第一面およびこれと対峙する第二面に、それぞれ回動軸の周りでそれぞれピボットベアリングに連結されている。このようにして、作動軸とグリップの取り付け方向が直角に交わるようにできる。また、両側から駆動機構を掴むことで、手工具装置の他の部分に対し、グリップ緩衝機構の回動可能でありながら特に安定した位置保持が可能となる。
【００１２】
本発明の特に好適な実施例においては、回動軸から有効握り位置までの距離は、使用者によりそれぞれグリップに加えられる押圧力に応じて１３〜１９ｃｍの範囲とし、またこの有効握り位置は例えばグリップの幾何学的な中心点と実質的に対応する。これにより、グリップの振動を良好に低減するので、手工具装置の保持が快適となる。また前記の距離を１５〜１８ｃｍの範囲にすることで、グリップに伝わる振動を最小限の強度に抑えることが出来る。
【００１３】
本発明の好適な実施例においては、回動軸とグリップ緩衝機構との間に、それぞれエラストマーリングを設ける。この構成により、グリップ機構に伝わる段階での振動を、エラストマーリングの緩衝作用により確実に減らすことができる。
【００１４】
このとき、駆動機構の第一面に第一緩衝体を、駆動機構の第二面に第二緩衝体を設ける。この構成により、双方のグリップ緩衝機構に対して、および両回動方向において、それぞれ二つの部分からなる端部当接部を作動軸線に関して幾何学的に配置することができる。このようにして、グリップ緩衝機構に加わる力、つまりモーメントを大幅に低減することができる。
【００１５】
本発明の特に好適な実施例にいては、ばね手段は二つのコイルばねを有し、これらコイルばねは、作動軸線に対し垂直に、装置ハウジングに固定されたばね受容部とそれぞれ対応するグリップ緩衝機構との間に配置される。これにより、 ばね手段のための付加的な設置スペースは特に小さくて済み、全体としてコンパクトな手工具装置の構造が達成可能となる。
以下、図面につき本発明の好適な実施例を説明する。
【実施例】
【００１６】
図１には、工具軸４にツールホルダ６を設け、図示しない方法で、駆動機構８により工具軸４が作動軸線Ａ上で打撃運動をする電気空圧式チゼルハンマーである携帯用手工具装置２を示す。さらに駆動機構８には、個別に図示しない駆動ータおよび打撃機構を設ける。このとき打撃機構は、駆動モータにより発生した回転運動を、作動軸Ａに沿った強い衝撃の反復運動に変換する。
【００１７】
チゼルハンマーとして構成する代わりに、手工具装置２をドリルハンマーとして、またはチゼルハンマーとドリルハンマーの組合せとして形成することもでき、これによれば、ツールホルダ６が、打撃運動に加えて作動軸線Ａを中心とした回転運動しながら、打撃可能となる。この場合には、駆動機構８にはさらに変速器を設ける(個別には図示しない)。
【００１８】
手工具装置２には、駆動機構８を収納した装置ハウジング１０を設ける。さらに、手工具装置２にはグリップ機構１２が設けられており、このグリップ機構１２には、幾何学的な中心点を通って形成された第一の有効握り位置Ｇ１を有し、装置ハウジング１０の第一 面１４．１から突出する第一グリップ１６を設ける。 第一グリップ１６には駆動機構のスイッチを入れるための押しボタンスイッチ１８を設ける。さらに、グリップ機構１２には、同様に幾何学的な中心点を通って形成された第二の有効握り位置Ｇ２を有し、装置ハウジング１０の第一面１４．１に対峙する第二面１４．２から突出する第二 グリップ２０を設ける。
【００１９】
このとき、第一グリップ１６は、第一グリップ緩衝機構２２を介して、第一 ピボットベアリング２１．１により形成される第一回動軸Ｓ１を中心として矢印Ｂ１の向きに回動可能となるように取り付けられ、また、第二グリップ２０は、第二グリップ緩衝機構２４を介して、第二ピボットベアリング２１．２により形成される第二回動軸Ｓ２を中心として矢印Ｂ２の向きに回動可能となるように取り付けられる。ここでピボットベアリング２１．１および２１．２は、実質的に駆動機構８を貫通するハウジング固定ボルトで構成される。また、図示の形態の代わりに、グリップ緩衝機構２２および２４の双方を、実質的には駆動機構８を貫通する別のボルトで構成される一つの共通したピボットベアリング（図示しない）に回動可能に取り付けることもできる。
【００２０】
このとき、第一有効握り位置Ｇ１と第一 回動軸Ｓ１との間の距離および第二有効握り位置Ｇ２と第二回動軸Ｓ２との間の距離はそれぞれ１３〜１９ｃｍの範囲とし、特に好適には１５〜１８ ｃｍの範囲とする。さらに図２に示すように、回動軸Ｓ１およびＳ２と、グリップ緩衝機構２２および２４との間には、振動緩衝作用のあるエラストマーリング２３をそれぞれ設ける。
【００２１】
特に図２に示すように、第一グリップ緩衝機構２２には、端部に２個の第一 固定アーム２６を有する、フォーク状に二股に分岐する第一梁部２５を設ける。前記第一固定アーム２６は、第一グリップ１６の長手軸線 Ｌ１に対し実質的に垂直に設けられており、それぞれ上方固定領域２８．１および下方固定領域２８．２を構成する。これら固定領域２８．１および２８．２はそれぞれ、対応して配置された、 エラストマー製の第一緩衝体３２．１および第二緩衝体３２．２の第一上方 端部当接面３０．１または第一下方端部当接面３０．２に取り付けられる。さらに、緩衝体３２．１および３２．２を実質的に菱形に構成し、第一緩衝体３２．１を駆動機構８の第一面３４に、第二緩衝体３２．２を駆動機構８の第二面３６に配置する。
【００２２】
さらに緩衝体３２．１および３２．２には、第一グリップ緩衝機構２２とは反対側の面に、第二グリップ緩衝機構２４の対応する上方固定領域４０．１および下方固定領域４０．２を取り付けることが可能である、第二上方端部当接面３８．１および第二下方端部当接面３８．２を設ける。このとき、固定領域４０．１および４０．２を第二固定アーム４２上に構成し、この固定アーム４２を、端部がフォーク状に二股に分岐する第二梁部４４に、第二グリップ２０の長手軸線 L２に対し実質的に垂直となるように配置する。
【００２３】
さらに、図１に示すように、ハウジングに固定固定されたばね受容部５０に押圧力が加わる構成にした、作動軸線Ａに対し垂直に取り付けたコイルばね４８で構成するばね手段４６は、第一固定アーム２６および第二 固定アーム４２の少なくとも一方に固定する。この構成の代案として、コイルばね４８を、その両端がそれぞれグリップ緩衝機構２２、２４のどちらか一方に押圧力が加わるように構成にする。上記２つのどちらの構成においても、グリップ緩衝機構２２、２４、あるいはこれらに取り付けたグリップ１６、２０は、押圧力により、例えば図１および図２に示すように、上方固定領域２８．１、４０．１が上方端部当接面３０．１、３８．１と重なる初期位置に保持される。
【００２４】
この手工具装置の運転開始にあたって押しボタンスイッチ１８により駆動機構８を作動させると、これと同時に、グリップ１６、２０を経由し接触圧Ｄが作動軸線Ａの方向に発生する。このとき、工具軸４およびツールホルダ６の衝撃の強い打撃運動と、図示しない加工途中の物体に起因する反発力とにより、手工具装置２に特に作動軸線Ａ方向への振動が生じる。
【００２５】
このとき、回動軸Ｓ１、Ｓ２とグリップ緩衝機構２２、２４との間にある振動緩衝作用のあるエラストマーリングは、グリップ１６および２０への主要な振動の伝達を減少する。
【００２６】
さらに、ばね手段４６は、通常の接触圧Ｄのもとでは、 全ての固定アーム２６および４２が、それぞれの端部当接面３０．１、３０．２、３８．１、３８．２から離間しており、双方のグリップ緩衝機構２２および２４が、それぞれの回動軸Ｓ１もしくはＳ２を中心として、それぞれ矢印Ｂ１、Ｂ２の向きに自由に動けるように構成する。これにより、グリップ１６、２０を、作動軸線Ａに沿って発生する振動に関して装置ハウジング１０から切り離すことができる。
【００２７】
例外的に、接触圧Ｄが特に高い場合および加工途中の物体の反発力が特に強い場合、強い振動により矢印Ｂ１およびＢ２で示される移動距離をより長いものにし、上方固定領域２８．１、４０．１および下方固定領域２８．２、４０．２が交互にそれぞれ緩衝体３２．１および３２．２に当接するようにしてもよい。このときにも、装置ハウジング１０もしくは駆動機構８からグリップ機構１２に伝わる振動は、緩衝体３２．１および３２．２の緩衝作用により確実に低減される。
【００２８】
このとき、実質的に菱形に構成した緩衝体３２．１および３２．２と、これらに対応して構成した固定アーム２６および４２とは、それぞれ上方固定領域２８．１および４０．１が上方端部当接面３２．１および３８．１に、また下方固定領域２８．２および４０．２が下方端部当接面３２．２および３８．２に、同時に押圧力をかけるように構成する。
【００２９】
このため、緩衝体３２．１および３２．２の特性と姿勢とによって、グリップ緩衝機構２２および２４の双方の接触圧力が決まる。
【００３０】
さらに、梁部２５および４４をフォーク状に構成することで、安定した姿勢でグリップ１６および２０の最適な位置決めが可能となる。駆動機構８の高さに軸を配置することで、手工具装置２をコンパクトに構成することができ、かつそのバランスを良好とすることができる。有効握り位置Ｇ１およびＧ２と、それぞれの回動軸Ｓ１およびＳ２との間の距離を１５〜１８ｃｍの範囲にすることで、特に伝わる振動を小さいものにすることが出来る。
【図面の簡単な説明】
【００３１】
【図１】本発明に従う振動低減グリップ機構付き手工具装置の縦断面図である。
【図２】図１に示す本発明手工具装置のグリップ機構の斜視図である。
【符号の説明】
【００３２】
２  手工具装置
４  工具軸
６  ツールホルダ
８  駆動機構
１０  装置ハウジング
１２  グリップ機構
１４．１、１４．２  対峙面
１６  第一グリップ
１８  押しボタンスイッチ
２０  第二グリップ
２１．１  第一ピボットベアリング
２１．２  第二ピボットベアリング
２２  第一グリップ緩衝機構
２３  エラストマーリング
２４  第二グリップ緩衝機構
２５、４４  梁部
２６  第一固定アーム
２８．１、４０．１  上方固定領域
２８．２、４０．２  下方固定領域  
３０．１  第一端部当接部
３０．２  第一端部当接部
３２．１  第一緩衝体
３２．２  第二緩衝体
３４  第一面
３６  第二面
３８．１  第二端部当接部
３８．２  第二端部当接部
４２  第二固定アーム
４６  ばね手段
４８  コイルばね
５０  ばね受容部
【図１】
2007168068.tif 000003
【図２】
2007168068.tif 000004